(57)【要約】【課題】  一挙動でウエーブを付けることができるヘアーアイロンを、髪の根本近くが折れ曲げられた状態で癖がつかないように実現する。【解決手段】  開閉自在とした一対の加熱部を手で握って閉じることを可能としたヘアーアイロンにおいて、中央の凹状半円加熱面１０Ａの両端に、左右の一対の凸状半円加熱面１０Ｂ、１０Ｂの内側端を連続させてウエーブ状とした加熱面を有する左右凸状中央凹状加熱部１０と、中央の凸状半円加熱面２０Ａの両端に、左右の一対の凹状半円加熱面２０Ｂ、２０Ｂの内側端を連続させてウエーブ状とした加熱面を有する左右凹状中央凸状加熱部２０をもって一対の加熱部とし、左右凸状中央凹状加熱部の左右の一対の半円箇所の外側に外接される左右凹状中央凸状加熱部の左右の一対の半円箇所の両端面Ｒ、Ｒに丸みを持たせる。【選択図】      図５
2013052219.tif 000002
【特許請求の範囲】
【請求項１】
ヒンジ部（３）をもって鰐口状に開閉自在とした一対の加熱部を手で握って閉じることを可能としたヘアーアイロンにおいて、中央の凹状半円加熱面（１０Ａ）の両端に、左右の一対の凸状半円加熱面（１０Ｂ、１０Ｂ）の内側端を連続させてウエーブ状とした加熱面を有する左右凸状中央凹状加熱部（１０）と、中央の凸状半円加熱面（２０Ａ）の両端に、左右の一対の凹状半円加熱面（２０Ｂ、２０Ｂ）の内側端を連続させてウエーブ状とした加熱面を有する中央凸状加熱部（２０）をもって一対の加熱部とし、これらの加熱部は閉じたときに左右凸状中央凹状加熱部（１０）の中央の凹状半円加熱面（１０Ａ）に左右凹状中央凸状加熱部（２０）の中央の凸状半円加熱面（２０Ａ）が内接するとともに、左右凸状中央凹状加熱部（１０）の左右の一対の凸状半円加熱面（１０Ｂ、１０Ｂ）に左右凹状中央凸状加熱部（２０）の左右の一対の凹状半円加熱面（２０Ｂ、２０Ｂ）が外接するようにし、その際に左右凸状中央凹状加熱部（１０）の左右の一対の凸状半円加熱面（１０Ｂ、１０Ｂ）の外側に外接される左右凹状中央凸状加熱部（２０）の左右の一対の凹状半円加熱面（２０Ｂ、２０Ｂ）の両端面（Ｒ、Ｒ）に丸みを持たせたことを特徴とするヘアーアイロン。
【請求項２】
ヒンジ部（３）をもって鰐口状に開閉自在とした一対の加熱部を手で握って閉じることを可能としたヘアーアイロンにおいて、中央の凹状半円加熱面（１０Ａ）の両端に、左右の一対の凸状半円加熱面（１０Ｂ、１０Ｂ）の内側端を連続させてウエーブ状とした加熱面を有する左右凸状中央凹状加熱部（１０）と、中央の凸状半円加熱面（２０Ａ）の両端に、左右の一対の凹状半円加熱面（２０Ｂ、２０Ｂ）の内側端を連続させてウエーブ状とした加熱面を有する中央凸状加熱部（２０）をもって一対の加熱部とし、これらの加熱部は閉じたときに左右凸状中央凹状加熱部（１０）の中央の凹状半円加熱面（１０Ａ）に左右凹状中央凸状加熱部（２０）の中央の凸状半円加熱面（２０Ａ）が内接するとともに、左右凸状中央凹状加熱部（１０）の左右の一対の凸状半円加熱面（１０Ｂ、１０Ｂ）に左右凹状中央凸状加熱部（２０）の左右の一対の凹状半円加熱面（２０Ｂ、２０Ｂ）が外接するようにし、左右凸状中央凹状加熱部（１０）において、特に左右の一対の凸状半円加熱面（１０Ｂ、１０Ｂ）の裏面に肉厚部（１１、１１）を設けるとともに、左右凹状中央凸状加熱部（２０）において、特に中央の凸状半円加熱面の裏面（２０Ａ）に肉厚部（２１）を設けたことを特徴とするヘアーアイロン。
【発明の詳細な説明】
【技術分野】
【０００１】
この発明は加熱により髪の毛にくせ付けを行ない、特にウェーブなどのスタイリングを実現するために使用するヘアーアイロンに関する。
【背景技術】
【０００２】
電気加熱手段を備えたアイロン棒からグリップを延設すると共に、上記アイロン棒の表面に接離すべき押さえ板を設けた構成よりなるヘアーアイロンが公知である（特許文献１、２）。この種のヘアーアイロンは加熱したアイロン棒と押さえ板との間に髪の毛を挟んだ状態で、グリップを手で軸方向に回転させることによりアイロン棒に髪の毛を巻き付けて屈曲させ、アイロン棒による加熱によりカールやウェーブなどのくせ付けを行なう。
【０００３】
一方、閉開可能に枢着された１対の腕体の先端部に、この腕体の閉開に伴って近接離反する毛髪挟持部がそれぞれ形成され、一方の毛髪挟持部に腕体の延在方向に延長して凹条が形成されると共に、他方の毛髪挟持部に腕体の延在方向に延長して凸条が形成され、前記凹条は、左右の側面と、この側面間にそれぞれ屈折角部を介して連続した底面とで形成されると共に、この底面に少なくとも１ヶ所以上の屈折角部が形成され、前記凸条は、左右の側面と、この側面間にそれぞれ屈折角部を介して連続した頂面とで形成されると共に、この頂面に少なくとも１ヶ所以上の屈折角部が形成されて、前記凹条に噛み合うように形成されていることを特徴とするヘアーアイロンも公知である（特許文献３）。
【先行技術文献】
【特許文献】
【０００４】
【特許文献１】実用新案登録第３１４７９１１号公報
【特許文献２】特開２００５ー１９８９８４号公報
【特許文献３】実登３０７０４２６号公報
【発明の概要】
【発明が解決しようとする課題】
【０００５】
前者の従来技術のヘアーアイロンはアイロン棒と押さえ板との間に髪の毛を挟んだ状態で、グリップを手で軸方向に回転させることにより髪の毛を巻き付けて使用に供されるので、大きめの緩めのウエーブなどのスタイリングを実現するためにはそれ相応の技術が必要となった。また、アイロン棒は高熱となるので、それを直接手で握って操作することはできなかった。
【０００６】
これに対し、後者の従来技術のヘアーアイロンは一挙動でウエーブを付けることが可能となるが、凸状と凹状の連続部を角状としているのでウエーブのつなぎ目において髪の根本近くが折れ曲げられた状態で癖がつくおそれがあった。また、両端部において凸状に噛み合う凹状の端部が角部を構成しているために、この箇所で髪の根本近くが折れ曲げられた状態で癖がつくおそれが特にあった。
【課題を解決するための手段】
【０００７】
この発明は前記の問題を解消したヘアーアイロンを提供することを目的としたものである。すなわち、この発明においては、ヒンジ部３をもって鰐口状に開閉自在とした一対の加熱部を手で握って閉じることを可能としたヘアーアイロンにおいて、中央の凹状半円加熱面１０Ａの両端に、左右の一対の凸状半円加熱面１０Ｂ、１０Ｂの内側端を連続させてウエーブ状とした加熱面を有する左右凸状中央凹状加熱部１０と、中央の凸状半円加熱面２０Ａの両端に、左右の一対の凹状半円加熱面２０Ｂ、２０Ｂの内側端を連続させてウエーブ状とした加熱面を有する左右凹状中央凸状加熱部２０をもって一対の加熱部とし、これらの加熱部は閉じたときに左右凸状中央凹状加熱部１０の中央の凹状半円加熱面１０Ａに左右凹状中央凸状加熱部２０の中央の凸状半円加熱面２０Ａが内接するとともに、左右凸状中央凹状加熱部１０の左右の一対の凸状半円加熱面１０Ｂ、１０Ｂに左右凹状中央凸状加熱部２０の左右の一対の凹状半円加熱面２０Ｂ、２０Ｂが外接するようにし、その際に左右凸状中央凹状加熱部１０の左右の一対の凸状半円加熱面１０Ｂ、１０Ｂの外側に外接される左右凹状中央凸状加熱部２０の左右の一対の凹状半円加熱面２０Ｂ、２０Ｂの両端面Ｒ、Ｒに丸みを持たせたことをことを特徴とする。
【０００８】
また、請求項２に記載の発明においては、前記のヘアーアイロンにおいて、左右凸状中央凹状加熱部１０において、特に左右の一対の凸状半円加熱面１０Ｂ、１０Ｂの裏面に肉厚部１１、１１を設けるとともに、左右凹状中央凸状加熱部２０において、特に中央の凸状半円加熱面の裏面２０Ａに肉厚部２１を設けたことを特徴とする。
【発明の効果】
【０００９】
この発明においては、ウエーブ状のくせをつけるための加熱部がアイロン棒でなく、ウエーブ状となっており、具体的には中央の凹状半円箇所の両端部に、左右の一対の凸状半円箇所の内側端部を連続させてウエーブ状とした左右凸状中央凹状加熱部と、中央の凸状半円箇所の両端部に、左右の一対の凹状半円箇所の内側端部を連続させてウエーブ状とした左右凹状中央凸状加熱部としている。よって、前記後者の従来技術のヘアーアイロンにおけるような中途の角状部が存しないので、ウエーブのつなぎ目において髪の根本近くが折れ曲げられた状態で癖がつくおそれがない。
【００１０】
また、左右凸状中央凹状加熱部の左右の一対の半円箇所の外側に外接される左右凹状中央凸状加熱部の左右の一対の半円箇所の両端面に丸みを持たせている。よって、前記後者の従来技術のヘアーアイロンにおけるような両端部において凸状に噛み合う凹状の端部の角部が存しないので、この箇所で髪の根本近くが折れ曲げられた状態で癖がつくおそれがない。特にこの箇所を加熱部を閉じた状態で上に引き上げた際に挟んだ髪の毛に大きな力が加わる部分なので丸みを持たせたことによる効果は大きい。
【００１１】
また、請求項２の発明のように、左右凸状中央凹状加熱部の裏面に、特に左右の一対の凸状半円箇所の裏面が肉厚となるカバー体を設けるとともに、左右凹状中央凸状加熱部の裏面に、特に中央の凸状半円箇所の裏面が肉厚となるカバー体を設けた場合は、加熱面からの熱はカバー体により緩衝されるので、開閉する加熱部を直接手で握って閉じることができ、アイロンによるくせ付け操作がより容易となる。
【図面の簡単な説明】
【００１２】
【図１】この発明のヘアーアイロンの左側面図。
【図２】同上、右側面図。
【図３】同上、平面方向から観察した斜視図。
【図４】同上、底面方向から観察した斜視図。
【図５】同上、加熱部を開いた状態の左側面図。
【図６】同上、加熱部を開いた状態の平面方向から観察した斜視図。
【図７】同上、加熱部を開いた状態の底面方向から観察した斜視図。
【図８】同上、正面図。
【図９】同上、平面図。
【図１０】同上、底面図。
【発明を実施するための最良の形態】
【００１３】
以下、この発明の具体的実施例を添付図面に基づいて説明する。図７はこの発明のヘアーアイロンの全体を示す図である。このヘアーアイロンはヒンジ部３をもって鰐口状に開閉自在とした一対の加熱部１０、２０を手で握って閉じることにより髪の毛を加熱しながら挟持して髪の毛にウエーブ状のくせをつける機能を有する。
【００１４】
前記の加熱部１０、２０の加熱面はウエーブ状に構成される。すなわち、加熱部１０は中央の凹状半円加熱面１０Ａの両端に、左右の一対の凸状半円加熱面１０Ｂ、１０Ｂの内側端を連続させてウエーブ状とした加熱面を有する左右凸状中央凹状加熱部１０であり、加熱部２０は中央の凸状半円加熱面２０Ａの両端に、左右の一対の凹状半円加熱面２０Ｂ、２０Ｂの内側端を連続させてウエーブ状とした加熱面を有する左右凹状中央凸状加熱部２０である（図１、５参照）。
【００１５】
これらの加熱部は閉じたときに左右凸状中央凹状加熱部１０の中央の凹状半円加熱面１０Ａに左右凹状中央凸状加熱部２０の中央の凸状半円加熱面２０Ａが内接するとともに、左右凸状中央凹状加熱部１０の左右の一対の凸状半円加熱面１０Ｂ、１０Ｂに左右凹状中央凸状加熱部２０の左右の一対の凹状半円加熱面２０Ｂ、２０Ｂが外接するように構成される。そして、その際に左右凸状中央凹状加熱部１０の左右の一対の凸状半円加熱面１０Ｂ、１０Ｂの外側に外接される左右凹状中央凸状加熱部２０の左右の一対の凹状半円加熱面２０Ｂ、２０Ｂの両端面Ｒ、Ｒに丸みが持たされる。
【００１６】
また、左右凸状中央凹状加熱部１０において、特に左右の一対の凸状半円加熱面１０Ｂ、１０Ｂの裏面に肉厚部１１、１１が設けられるとともに、左右凹状中央凸状加熱部２０において、特に中央の凸状半円加熱面の裏面２０Ａに肉厚部２１が設けられる。
【００１７】
図中符号、１２、２２はそれぞれ一対の加熱部１０、２０を手で握って閉じた際に指先があたる箇所である。
【符号の説明】
【００１８】
１０                左右凸状中央凹状加熱部
１０Ａ              凹状半円加熱面      
１０Ｂ              凸状半円加熱面
２０                左右凹状中央凸状加熱部
２０Ａ              凸状半円加熱面
２０Ｂ              凹状半円加熱面
Ｒ                  両端面
【図１】
2013052219.tif 000003
【図２】
2013052219.tif 000004
【図３】
2013052219.tif 000005
【図４】
2013052219.tif 000006
【図５】
2013052219.tif 000007
【図６】
2013052219.tif 000008
【図７】
2013052219.tif 000009
【図８】
2013052219.tif 000010
【図９】
2013052219.tif 000011
【図１０】
2013052219.tif 000012
【手続補正書】
【提出日】平成24年1月7日(2012.1.7)
【手続補正１】
【補正対象書類名】特許請求の範囲
【補正対象項目名】全文
【補正方法】変更
【補正の内容】
【特許請求の範囲】
【請求項１】
ヒンジ部（３）をもって鰐口状に開閉自在とした一対の加熱部を手で握って閉じることを可能としたヘアーアイロンにおいて、中央の凹状半円加熱面（１０Ａ）の両端に、左右の一対の凸状半円加熱面（１０Ｂ、１０Ｂ）の内側端を連続させてウエーブ状とした加熱面を有する左右凸状中央凹状加熱部（１０）と、中央の凸状半円加熱面（２０Ａ）の両端に、左右の一対の凹状半円加熱面（２０Ｂ、２０Ｂ）の内側端を連続させてウエーブ状とした加熱面を有する中央凸状加熱部（２０）をもって一対の加熱部とし、これらの加熱部は閉じたときに左右凸状中央凹状加熱部（１０）の中央の凹状半円加熱面（１０Ａ）に左右凹状中央凸状加熱部（２０）の中央の凸状半円加熱面（２０Ａ）が内接するとともに、左右凸状中央凹状加熱部（１０）の左右の一対の凸状半円加熱面（１０Ｂ、１０Ｂ）に左右凹状中央凸状加熱部（２０）の左右の一対の凹状半円加熱面（２０Ｂ、２０Ｂ）が外接するようにし、その際に左右凸状中央凹状加熱部（１０）の左右の一対の凸状半円加熱面（１０Ｂ、１０Ｂ）の外側に外接される左右凹状中央凸状加熱部（２０）の左右の一対の凹状半円加熱面（２０Ｂ、２０Ｂ）の両端面（Ｒ、Ｒ）に丸みを持たせたことを特徴とするヘアーアイロン。
【手続補正２】
【補正対象書類名】明細書
【補正対象項目名】全文
【補正方法】変更
【補正の内容】
【発明の詳細な説明】
【技術分野】
【０００１】
この発明は加熱により髪の毛にくせ付けを行ない、特にウェーブなどのスタイリングを実現するために使用するヘアーアイロンに関する。
【背景技術】
【０００２】
電気加熱手段を備えたアイロン棒からグリップを延設すると共に、上記アイロン棒の表面に接離すべき押さえ板を設けた構成よりなるヘアーアイロンが公知である（特許文献１、２）。この種のヘアーアイロンは加熱したアイロン棒と押さえ板との間に髪の毛を挟んだ状態で、グリップを手で軸方向に回転させることによりアイロン棒に髪の毛を巻き付けて屈曲させ、アイロン棒による加熱によりカールやウェーブなどのくせ付けを行なう。
【０００３】
一方、閉開可能に枢着された１対の腕体の先端部に、この腕体の閉開に伴って近接離反する毛髪挟持部がそれぞれ形成され、一方の毛髪挟持部に腕体の延在方向に延長して凹条が形成されると共に、他方の毛髪挟持部に腕体の延在方向に延長して凸条が形成され、前記凹条は、左右の側面と、この側面間にそれぞれ屈折角部を介して連続した底面とで形成されると共に、この底面に少なくとも１ヶ所以上の屈折角部が形成され、前記凸条は、左右の側面と、この側面間にそれぞれ屈折角部を介して連続した頂面とで形成されると共に、この頂面に少なくとも１ヶ所以上の屈折角部が形成されて、前記凹条に噛み合うように形成されていることを特徴とするヘアーアイロンも公知である（特許文献３）。
【先行技術文献】
【特許文献】
【０００４】
【特許文献１】実用新案登録第３１４７９１１号公報
【特許文献２】特開２００５ー１９８９８４号公報
【特許文献３】実登３０７０４２６号公報
【発明の概要】
【発明が解決しようとする課題】
【０００５】
前者の従来技術のヘアーアイロンはアイロン棒と押さえ板との間に髪の毛を挟んだ状態で、グリップを手で軸方向に回転させることにより髪の毛を巻き付けて使用に供されるので、大きめの緩めのウエーブなどのスタイリングを実現するためにはそれ相応の技術が必要となった。また、アイロン棒は高熱となるので、それを直接手で握って操作することはできなかった。
【０００６】
これに対し、後者の従来技術のヘアーアイロンは一挙動でウエーブを付けることが可能となるが、凸状と凹状の連続部を角状としているのでウエーブのつなぎ目において髪の根本近くが折れ曲げられた状態で癖がつくおそれがあった。また、両端部において凸状に噛み合う凹状の端部が角部を構成しているために、この箇所で髪の根本近くが折れ曲げられた状態で癖がつくおそれが特にあった。
【課題を解決するための手段】
【０００７】
この発明は前記の問題を解消したヘアーアイロンを提供することを目的としたものである。すなわち、この発明においては、ヒンジ部３をもって鰐口状に開閉自在とした一対の加熱部を手で握って閉じることを可能としたヘアーアイロンにおいて、中央の凹状半円加熱面１０Ａの両端に、左右の一対の凸状半円加熱面１０Ｂ、１０Ｂの内側端を連続させてウエーブ状とした加熱面を有する左右凸状中央凹状加熱部１０と、中央の凸状半円加熱面２０Ａの両端に、左右の一対の凹状半円加熱面２０Ｂ、２０Ｂの内側端を連続させてウエーブ状とした加熱面を有する左右凹状中央凸状加熱部２０をもって一対の加熱部とし、これらの加熱部は閉じたときに左右凸状中央凹状加熱部１０の中央の凹状半円加熱面１０Ａに左右凹状中央凸状加熱部２０の中央の凸状半円加熱面２０Ａが内接するとともに、左右凸状中央凹状加熱部１０の左右の一対の凸状半円加熱面１０Ｂ、１０Ｂに左右凹状中央凸状加熱部２０の左右の一対の凹状半円加熱面２０Ｂ、２０Ｂが外接するようにし、その際に左右凸状中央凹状加熱部１０の左右の一対の凸状半円加熱面１０Ｂ、１０Ｂの外側に外接される左右凹状中央凸状加熱部２０の左右の一対の凹状半円加熱面２０Ｂ、２０Ｂの両端面Ｒ、Ｒに丸みを持たせたことをことを特徴とする。
【発明の効果】
【０００８】
この発明においては、ウエーブ状のくせをつけるための加熱部がアイロン棒でなく、ウエーブ状となっており、具体的には中央の凹状半円箇所の両端部に、左右の一対の凸状半円箇所の内側端部を連続させてウエーブ状とした左右凸状中央凹状加熱部と、中央の凸状半円箇所の両端部に、左右の一対の凹状半円箇所の内側端部を連続させてウエーブ状とした左右凹状中央凸状加熱部としている。よって、前記後者の従来技術のヘアーアイロンにおけるような中途の角状部が存しないので、ウエーブのつなぎ目において髪の根本近くが折れ曲げられた状態で癖がつくおそれがない。
【０００９】
また、左右凸状中央凹状加熱部の左右の一対の半円箇所の外側に外接される左右凹状中央凸状加熱部の左右の一対の半円箇所の両端面に丸みを持たせている。よって、前記後者の従来技術のヘアーアイロンにおけるような両端部において凸状に噛み合う凹状の端部の角部が存しないので、この箇所で髪の根本近くが折れ曲げられた状態で癖がつくおそれがない。特にこの箇所を加熱部を閉じた状態で上に引き上げた際に挟んだ髪の毛に大きな力が加わる部分なので丸みを持たせたことによる効果は大きい。
【図面の簡単な説明】
【００１０】
【図１】この発明のヘアーアイロンの左側面図。
【図２】同上、右側面図。
【図３】同上、平面方向から観察した斜視図。
【図４】同上、底面方向から観察した斜視図。
【図５】同上、加熱部を開いた状態の左側面図。
【図６】同上、加熱部を開いた状態の平面方向から観察した斜視図。
【図７】同上、加熱部を開いた状態の底面方向から観察した斜視図。
【図８】同上、正面図。
【図９】同上、平面図。
【図１０】同上、底面図。
【発明を実施するための最良の形態】
【００１１】
以下、この発明の具体的実施例を添付図面に基づいて説明する。図７はこの発明のヘアーアイロンの全体を示す図である。このヘアーアイロンはヒンジ部３をもって鰐口状に開閉自在とした一対の加熱部１０、２０を手で握って閉じることにより髪の毛を加熱しながら挟持して髪の毛にウエーブ状のくせをつける機能を有する。
【００１２】
前記の加熱部１０、２０の加熱面はウエーブ状に構成される。すなわち、加熱部１０は中央の凹状半円加熱面１０Ａの両端に、左右の一対の凸状半円加熱面１０Ｂ、１０Ｂの内側端を連続させてウエーブ状とした加熱面を有する左右凸状中央凹状加熱部１０であり、加熱部２０は中央の凸状半円加熱面２０Ａの両端に、左右の一対の凹状半円加熱面２０Ｂ、２０Ｂの内側端を連続させてウエーブ状とした加熱面を有する左右凹状中央凸状加熱部２０である（図１、５参照）。
【００１３】
これらの加熱部は閉じたときに左右凸状中央凹状加熱部１０の中央の凹状半円加熱面１０Ａに左右凹状中央凸状加熱部２０の中央の凸状半円加熱面２０Ａが内接するとともに、左右凸状中央凹状加熱部１０の左右の一対の凸状半円加熱面１０Ｂ、１０Ｂに左右凹状中央凸状加熱部２０の左右の一対の凹状半円加熱面２０Ｂ、２０Ｂが外接するように構成される。そして、その際に左右凸状中央凹状加熱部１０の左右の一対の凸状半円加熱面１０Ｂ、１０Ｂの外側に外接される左右凹状中央凸状加熱部２０の左右の一対の凹状半円加熱面２０Ｂ、２０Ｂの両端面Ｒ、Ｒに丸みが持たされる。
【００１４】
また、左右凸状中央凹状加熱部１０において、特に左右の一対の凸状半円加熱面１０Ｂ、１０Ｂの裏面に肉厚部１１、１１が設けられるとともに、左右凹状中央凸状加熱部２０において、特に中央の凸状半円加熱面の裏面２０Ａに肉厚部２１が設けられる。
【００１５】
図中符号、１２、２２はそれぞれ一対の加熱部１０、２０を手で握って閉じた際に指先があたる箇所である。
【符号の説明】
【００１６】
１０                左右凸状中央凹状加熱部
１０Ａ              凹状半円加熱面      
１０Ｂ              凸状半円加熱面
２０                左右凹状中央凸状加熱部
２０Ａ              凸状半円加熱面
２０Ｂ              凹状半円加熱面
Ｒ                  両端面